(57)【要約】 【課題】試し印刷による確認作業の作業効率を向上させることが可能な情報処理装置、情報処理方法およびプログラムを提供する。【解決手段】本発明に係る情報処理装置１は、設定部７と生成部９と出力部１０とを備える。設定部７は、ユーザからの入力に応じて、第１印刷設定と、第１印刷設定とは異なる第２印刷設定を設定する。生成部９は、試し印刷の実行指示を受け付けた場合、特殊ページ設定リスト８の印刷を指示するとともに、設定部７により設定された第１印刷設定および第２印刷設定に基づく試し印刷の形態で印刷の実行を指示する試し印刷ジョブを生成する。出力部１０は、試し印刷ジョブを出力する。【選択図】図１
2014225078.tif 000002
【特許請求の範囲】
【請求項１】
ユーザからの入力に応じて、第１印刷設定と、前記第１印刷設定とは異なる第２印刷設定を設定する設定部と、
試し印刷の実行指示を受け付けた場合、前記第２印刷設定を識別する第１情報ごとに、
前記第２印刷設定の設定内容を示す第２情報が対応付けられた第３情報の印刷を指示するとともに、前記設定部により設定された前記第１印刷設定および前記第２印刷設定に基づく試し印刷の形態で印刷の実行を指示する試し印刷ジョブを生成する生成部と、
前記試し印刷ジョブを出力する出力部と、を備える、
情報処理装置。
【請求項２】
前記試し印刷ジョブは、前記第２印刷設定が適用されるページについては、対応する前記第１情報と前記第２情報を印刷することを指示する、
請求項１に記載の情報処理装置。
【請求項３】
前記試し印刷ジョブは、原稿データが印刷されるページについては、ページ番号を付与して印刷することを指示する、
請求項１または請求項２に記載の情報処理装置。
【請求項４】
前記試し印刷ジョブは、全てのページについて、印刷に用いる用紙の種類として普通紙を指定する、
請求項１乃至３のうちの何れか１項に記載の情報処理装置。
【請求項５】
前記試し印刷ジョブは、原稿データの部分についてはトナー量を低減して印刷することを指示する、
請求項１乃至４のうちの何れか１項に記載の情報処理装置。
【請求項６】
前記試し印刷ジョブは、ステープル処理を実行する設定を示す前記第２印刷設定が適用されるページについては、ステープルの位置に、ステープルを示す情報を印刷することを指示する、
請求項１乃至５のうちの何れか１項に記載の情報処理装置。
【請求項７】
ユーザからの入力に応じて、第１印刷設定と、前記第１印刷設定とは異なる第２印刷設定を設定する設定ステップと、
試し印刷の実行指示を受け付けた場合、前記第２印刷設定を識別する第１情報ごとに、前記第２印刷設定の設定内容を示す第２情報が対応付けられた第３情報の印刷を指示するとともに、前記設定ステップで設定された前記第１印刷設定および前記第２印刷設定に基づく試し印刷の形態で印刷の実行を指示する試し印刷ジョブを生成する生成ステップと、
前記試し印刷ジョブを出力する出力ステップと、を含む、
情報処理方法。
【請求項８】
コンピュータに、
ユーザからの入力に応じて、第１印刷設定と、前記第１印刷設定とは異なる第２印刷設定を設定する設定ステップと、
試し印刷の実行指示を受け付けた場合、前記第２印刷設定を識別する第１情報ごとに、前記第２印刷設定の設定内容を示す第２情報が対応付けられた第３情報の印刷を指示するとともに、前記設定ステップで設定された前記第１印刷設定および前記第２印刷設定に基づく試し印刷の形態で印刷の実行を指示する試し印刷ジョブを生成する生成ステップと、
前記試し印刷ジョブを出力する出力ステップと、を実行させるためのプログラム。
【発明の詳細な説明】
【技術分野】
【０００１】
本発明は、情報処理装置、情報処理方法およびプログラムに関する。
【背景技術】
【０００２】
商業印刷業界では、印刷出力物そのものが商品となる場合が多い。このためオフィスで印刷されるような簡易な印刷物でなく、ある指定した特定の範囲のページだけ他のページと異なる印刷設定（用紙の種類やサイズ等の設定を含む）を適用するといったような高付加価値のある印刷物を出力することが望まれている。このようなページ毎に細かく印刷設定ができる機能としてプリンタドライバでは特殊ページの設定というオプションで提供していることが既に知られている。
【０００３】
特殊ページの設定とは、他のページとは異なる印刷の設定をする機能で、例えば、基本の印刷設定は全ページに対して片面、モノクロで印刷することが指定されているが、一部の特定のページ範囲だけカラーで印刷する、両面印刷する、パンチやステープルを入れる、折りを入れる、用紙種類を変更する、表紙を挿入する等、他のページとは異なる設定をすることができる。
【０００４】
特殊ページの設定が増加するとオペレータは混乱するため、一度、出力して特殊ページの設定が正しいかを確認することが考えられるが、もし設定を間違えていた場合は、高価な特殊用紙やトナーが無駄になるといった事態が起きていた。近年はこれらの課題に対応するために、プリンタドライバを含む印刷制御プログラムや印刷装置には試し印刷やサンプル印刷と呼ばれる機能（以下では、単に「試し印刷機能」と呼ぶ場合がある）を実装しており、例えば、特殊紙を使用せずに安価な普通紙を使って印刷する、複数部数印刷時に先に一部のみ印刷する、といったような機能が搭載されていた。
【０００５】
例えば特許文献１には、通常印刷の前に出力形態を確認すると同時に使用されるシートのコストを抑えることを目的として、試し印刷モードで出力する時は、特殊紙の代わりに普通紙で出力する、特殊ページの設定内容も印刷する、ステープルやパンチの位置が来るところには記号で印字するといった構成が開示されている。
【発明の概要】
【発明が解決しようとする課題】
【０００６】
しかしながら、特許文献１に開示された技術では、特殊ページの設定を適用している箇所が増えてくると、試し印刷を行って間違いがある箇所が見つかった時、その箇所が、プリンタドライバ側の特殊ページの設定リストのうちのどの項目に該当するのかを直ちに見つけることができないので、作業効率が落ちてしまうという問題がある。
【０００７】
本発明は、上記に鑑みてなされたものであって、試し印刷を実行した場合における確認作業の作業効率を向上させることが可能な情報処理装置、情報処理方法およびプログラムを提供することを目的とする。
【課題を解決するための手段】
【０００８】
上述した課題を解決し、目的を達成するために、本発明は、ユーザからの入力に応じて、第１印刷設定と、前記第１印刷設定とは異なる第２印刷設定を設定する設定部と、試し印刷の実行指示を受け付けた場合、前記第２印刷設定を識別する第１情報ごとに、前記第２印刷設定の設定内容を示す第２情報が対応付けられた第３情報の印刷を指示するとともに、前記設定部により設定された前記第１印刷設定および前記第２印刷設定に基づく試し印刷の形態で印刷の実行を指示する試し印刷ジョブを生成する生成部と、前記試し印刷ジョブを出力する出力部と、を備える情報処理装置である。
【発明の効果】
【０００９】
本発明によれば、試し印刷を実行した場合における確認作業の作業効率を向上させることができる。
【図面の簡単な説明】
【００１０】
【図１】図１は、実施形態に係る印刷システムの構成例を示す図である。
【図２】図２は、表示部が表示する入力受付画面の一例を示す図である。
【図３】図３は、表示部が表示する入力受付画面の一例を示す図である。
【図４】図４は、表示部が表示する入力受付画面の一例を示す図である。
【図５】図５は、表示部が表示する入力受付画面の一例を示す図である。
【図６】図６は、表示部が表示する入力受付画面の一例を示す図である。
【図７】図７は、通常モードで印刷実行した時の印刷物の例を示す図である。
【図８】図８は、試し印刷で得られた印刷物の例を示す図である。
【図９】図９は、試し印刷時の出力例の具体的な内容を説明するための図である。
【図１０】図１０は、試し印刷を実行する場合の印刷システムの動作例を示すフローチャートである。
【発明を実施するための形態】
【００１１】
以下、添付図面を参照しながら、本発明に係る情報処理装置、情報処理方法およびプログラムの実施形態を詳細に説明する。
【００１２】
図１は、本実施形態に係る印刷システム１００の構成例を示す図である。図１に示すように、印刷システム１００は、情報処理装置１と、プリンタ装置１２とを備える。情報処理装置１とプリンタ装置１２は、例えばＬＡＮなどのネットワーク１１を介して接続されている。なお、この例では、印刷システム１００に含まれる情報処理装置１およびプリンタ装置１２の各々の台数は１台ずつであるが、これに限られるものではない。
【００１３】
情報処理装置１のハードウェア構成は、ＣＰＵ、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含むコンピュータ装置のハードウェア構成を利用する。この例では、情報処理装置１は、パーソナルコンピュータ（Ｐｅｒｓｏｎａｌ  Ｃｏｍｐｕｔｅｒ）で構成されるが、これに限られるものではない。また、詳細な図示は省略するが、情報処理装置１は、情報を表示する表示装置（例えば液晶ディスプレイ装置などで構成され得る）や、ユーザ(オペレータ)が各種の入力を行うためのキーボードやマウス等の入力装置などを備える。
【００１４】
図１では、情報処理装置１のソフトウェア構成および機能構成の一例が模式的に示されている。情報処理装置１には、ＯＳ（図１では不図示）、アプリケーション２、プリンタドライバ３がインストールされている。ＯＳは、情報処理装置１で利用される各種ソフトウェアに共通する基本的な機能を提供し、情報処理装置１に搭載されたコンピュータの稼動や使用をサポートする機能を提供するためのソフトウェア（プログラム）である。アプリケーション２は、印刷やテキスト編集などの各種の機能を提供するためのソフトウェアである。プリンタドライバ３は、プリンタ装置１２による印刷を制御するためのソフトウェアである。
【００１５】
図１に示すように、プリンタドライバ３は、コア４と、受信部５と、表示部６と、設定部７と、生成部９と、出力部１０とを有する。これらの機能は、ＣＰＵがプリンタドライバ３を実行することにより実現される。
【００１６】
受信部５は、アプリケーション２で発行された印刷命令を受信する。アプリケーション２からの印刷命令を受信部５で受信した場合、表示部６は、印刷の基本設定（この例では、請求項の「第１印刷設定」に対応）や特殊ページ設定（この例では、請求項の「第２印刷設定」に対応）のようなオペレータ（ユーザ）と対話するユーザインターフェース（入力受付画面）を表示する。この例では、表示部６は、オペレータからの各種の入力を受け付ける機能を有していると捉えることができる。設定部７は、オペレータ（ユーザ）からの入力に応じて、印刷の基本設定と特殊ページ設定を設定する。この例では、設定部７は、表示部６で受け付けたオペレータからの入力に応じて、印刷の基本設定と特殊ページ設定を設定し、後述の特殊ページ設定リスト８を生成して不図示のメモリに保存する機能を有している。
【００１７】
生成部９は、ＰＤＬ（Page  Description  Language）を生成する処理を行う。本実施形態では、試し印刷の実行指示を受け付けた場合、生成部９は、後述の特殊ページ設定リスト８の印刷を指示するとともに、設定部７により設定された基本設定および特殊ページ設定に基づく試し印刷の形態で印刷の実行を指示する試し印刷ジョブを生成する。この詳細な内容については後述する。また、試し印刷ではない通常印刷の実行指示を受け付けた場合、生成部９は、設定部７により設定された基本設定および特殊ページ設定に従う形態で印刷の実行を指示する印刷ジョブ（通常の印刷ジョブ）を生成する。なお、試し印刷ジョブおよび印刷ジョブは、ＰＤＬで記述される。
【００１８】
出力部１０は、生成部９で生成された試し印刷ジョブまたは印刷ジョブを出力する。より具体的には、出力部１０は、生成部９で生成された試し印刷ジョブまたは印刷ジョブを、ネットワーク１１を経由してプリンタ装置１２へ送信する処理を行う。コア４は、受信部５、表示部６、設定部７、生成部９、および、出力部１０の制御を行う。
【００１９】
図２は、表示部６が表示する入力受付画面の一例を示す図である。図２の例では、「特殊ページ設定」のタブがクリック（選択）されたときの画面の一例を示しており、特殊ページ設定リスト８が表示されている。特殊ページ設定リストは、特殊ページ設定を識別するＩＤごとに、特殊ページ設定が適用されるページを示すページ情報と、特殊ページのタイプを示すタイプ情報と、特殊ページ設定の詳細な設定内容を示す設定情報とが対応付けられた情報である。見方を変えれば、特殊ページ設定リストは、それぞれが、ＩＤとページ情報とタイプ情報と設定情報とが対応付けられた複数のリスト情報（以下、単に「リスト」と呼ぶ場合がある）で構成されていると捉えることもできる。この例では、「ＩＤ」は請求項の「第１情報」に対応し、「ページ情報」と「タイプ情報」と「設定情報」との組み合わせは、請求項の「第２情報」に対応し、「特殊ページ設定リスト８」は請求項の「第３情報」に対応しているが、これに限られるものではない。
【００２０】
上記ＩＤは、識別番号で表され、他のリストとは重複しないような番号が振られる。また、図２の例では、「＿１」という表記で表されるページ情報は、特殊ページ設定が１ページの前に適用されているという意味である。また、「４−５」という表記で表されるページ情報は、特殊ページ設定が４から５ページまで連続して適用されているという意味である。さらに、タイプ情報としては、表紙（おもて表紙、うら表紙）や合紙、挿入ページ、例外ページを示す情報がある。
【００２１】
新しく特殊ページを追加する時は、オペレータは、特殊ページのタイプに応じて、「表紙／合紙」ボタン、「挿入ページ」ボタン、「例外ページ」ボタンのいずれかをクリック（選択）し、その選択に応じて切り替わった画面に対して、各種の入力を行う。また、一度、設定した特殊ページを削除する時は、特殊ページ設定リストの中から削除したいリストを選択して「削除」ボタンをクリックする。なお、複数のリストを同時に選択することも可能である。また、一度、設定した特殊ページを再編集したい場合は、特殊ページリストの中から編集したいリストを選択してダブルクリックすると設定画面に切り替わり、そこで再編集することができる。
【００２２】
また、図２の例では、「セーブモードで特殊ページを試し印刷する」ことを示すチェックボックスがＯＮの場合、つまり、試し印刷を実行する試し印刷モードが選択されている状態で、「ＯＫ」ボタンがクリックされると（印刷の実行を指示する入力を受け付けると）、設定部７は、生成部９に対して、試し印刷の実行指示を出力する。試し印刷の実行指示を受け付けた生成部９は、試し印刷ジョブを生成し、出力部１０は、生成部９で生成された試し印刷ジョブを、プリンタ装置１２に送信（出力）する。つまり、試し印刷モードでの出力が行われる。一方、「セーブモードで特殊ページを試し印刷する」ことを示すチェックボックスがＯＦＦの場合、つまり、試し印刷モードが選択されていない状態で、「ＯＫ」ボタンがクリックされると、設定部７は、生成部９に対して、通常印刷の実行指示を出力する。通常印刷の実行指示を受け付けた生成部９は、印刷ジョブ（通常の印刷ジョブ）を生成し、出力部１０は、生成部９で生成された印刷ジョブを、プリンタ装置１２に出力する。つまり、通常印刷モードでの出力が行われる。
【００２３】
図３は、「表紙／合紙」ボタンが選択された後に表示される画面の一例を示す図である。ここでは、表紙や合紙の設定に必要な各種のパラメータがあり、「ユーザ設定」が選択されている場合、オペレータは、各種のパラメータを設定するための操作を行う。表紙は、さらに、「おもて表紙」と「うら表紙」があり、オペレータは、「おもて表紙」ならば「おもて表紙タブ」をクリック、うら表紙ならば「うら表紙タブ」をクリック、合紙ならば「合紙タブ」をクリックして対応する画面に切り替えて、必要に応じて、給紙トレイ、用紙サイズ、坪量、用紙の種類、印刷面などの各種のパラメータを設定するための操作を行う。一方、オペレータが、「ユーザ設定」ではなく「用紙リスト」を選択した場合は、予め登録してある用紙リストの中から何れかの用紙リストを選択して設定することもできる。
【００２４】
図４は、図２に示す「挿入ページ」ボタンが選択された後に表示される画面の一例を示す図である。ここでは、特殊ページを挿入するページの位置、挿入する枚数、給紙トレイ、用紙サイズ、坪量、用紙の種類などを設定することができる。また、あらかじめ登録してある用紙リストの中から何れかの用紙リストを選択することができる。更に、用紙の種類がインデックスであった時は、オペレータは、「インデックス印刷タブ」をクリックして対応する画面に切り替えて、インデックス印刷の設定を行うこともできる（詳細は後述の図５）。
【００２５】
図５は、図４に示す「インデックス印刷タブ」がクリック（選択）された後に表示される画面の一例を示す図である。オペレータは、タブに印字する文字列やフォント、印字する位置や方向などを指定することができる。
【００２６】
図６は、図２に示す「例外ページ」ボタンが選択された後に表示される画面の一例を示す図である。ここでは、例外ページを適用するページ番号、カラー／白黒、給紙トレイ、用紙サイズ、坪量、用紙種類、回転、両面、ステープル、パンチ、折りなどを設定することができる。
【００２７】
図７は、図２に示す「セーブモードで特殊ページを試し印刷する」ことを示すチェックボックスをＯＦＦにして印刷実行した時の印刷物、つまり、通常モードで印刷実行した時の印刷物の一例を模式的に示す図である。この例では、入稿前の原稿データは１６ページからなる構成のドキュメントである。基本の印刷設定は、用紙サイズは「Ａ４」、印刷形態は「片面印刷」、色は「モノクロ（白黒）」、用紙の種類は「普通紙」をそれぞれ指定している。そこに、特殊ページの設定をして出力した結果が図７の例である。図７の例では、表紙（おもて表紙、うら表紙）、挿入ページ、インデックス紙、Ｚ折り、用紙サイズや用紙種類の変更、印刷面の回転、ステープル、パンチ、両面印刷、カラー用紙などの図２に示す特殊ページ設定に応じた出力が行われている。
【００２８】
ここで、オペレータは、顧客からの指示通りに特殊ページを設定して出力できたかどうかを確認する。もし顧客からの指示通りでなく間違いがあった場合は、再度、プリンタドライバ３の特殊ページ設定を見直して修正して出力しなければならない。何度も設定し直して出力すると紙の無駄、トナーの無駄になるので、図２に示す「セーブモードで特殊ページを試し印刷する」ことを示すチェックボックスをＯＮに設定して印刷実行する（つまり、試し印刷モードで印刷実行する）。以下、試し印刷モードでの出力例を説明する。
【００２９】
本実施形態では、試し印刷の実行指示を受け付けた場合、生成部９は、特殊ページ設定リスト８の印刷を指示するとともに、設定部７により設定された基本設定および特殊ページ設定に基づく試し印刷の形態で印刷の実行を指示する試し印刷ジョブを生成する。この例では、試し印刷ジョブは、特殊ページ設定が適用されるページについては、対応するリストを印刷することを指示する情報を含む。
【００３０】
また、試し印刷ジョブは、原稿データが印刷されるページについては、ページ番号を付与して印刷することを指示する情報を含む。また、試し印刷ジョブは、全てのページについて、印刷に用いる用紙の種類として普通紙を指定する情報を含む。また、試し印刷ジョブは、原稿データの部分についてはトナー量を低減して印刷することを指示する情報を含む。さらに、試し印刷ジョブは、ステープル処理を実行する設定を示す特殊ページ設定が適用されるページについては、ステープルの位置に、ステープルを示す情報を印刷することを指示する情報を含む。
【００３１】
ここで、図２に示す特殊ページ設定リスト８に基づく試し印刷が行われる場合を想定する。図８は、この場合に得られる印刷物を模式的に示す図である。
【００３２】
図８の例では、１枚目の印刷物は、図２に示す特殊ページ設定リスト８が普通紙に印刷されたページ（印刷物の構成単位、１枚の紙の１つの面が１ページに相当）である。この例では、各リストの最後尾にはメモ欄が設けられている。プリンタドライバ３がインストールされた情報処理装置（クライアントＰＣ）１とプリンタ装置１２はネットワーク１１で接続されて離れた場所に配置されていることが多く、オペレータがすぐに特殊ページのリストを確認することができない。本実施形態では、試し印刷モードで印刷実行する場合、特殊ページ設定リスト８を紙に印刷して出力するので、オペレータはすぐに特殊ページのリストを確認することができる。また、特殊ページの設定は、識別番号（ＩＤ）で管理されているので、似たような設定が複数あっても間違えることはない。また、この例では、試し印刷で印刷された印刷物に存在する特殊ページ（特殊ページ設定が適用されるページ）にも識別番号(ＩＤ)が印字されているので、もし間違いがあった場合は、該当する識別番号のリストの最後尾のメモ欄に記録しておき、後でオペレータに渡して修正指示をすることもできる。
【００３３】
２枚目の印刷物は、図２に示す識別番号「００１」の特殊ページ設定が適用されたページであり、識別番号「００１」に対応するリストを示す情報が印字される。図２に示す識別番号「００１」の特殊ページ設定では、表紙に印刷（片面（おもて面））をするよう指定されているのでページ番号「１」も印字される。つまり、原稿データの１ページ目が印刷されることを意味する。
【００３４】
３枚目の印刷物は、図２に示す識別番号「００２」の特殊ページ設定が適用されたページであり、識別番号「００２」に対応するリストを示す情報が印字される。識別番号「００２」に対応する設定情報（リスト）から、用紙の種類として「トレーシングペーパー」を使用し、１ページ（ページ番号「１」が印字されるページ）の後ろに配置（挿入）する設定であることが容易に分かる。もし、オペレータが「トレーシングペーパー」でなく「色紙」指定であった場合は、印字されたＩＤが「００２」なので、プリンタドライバ３の特殊ページ設定リスト８のＩＤ＝００２に対応するリストを修正すればよいということがすぐに分かる。
【００３５】
４枚目の印刷物は、特殊ページ設定が適用されていないページ（通常のページ）である。なお、原稿データの２ページ目が印刷されるので、ページ番号「２」が印字される。
【００３６】
５枚目の印刷物は、図２に示す識別番号「００３」の特殊ページ設定が適用されたページであり、識別番号「００３」に対応するリストを示す情報が印字される。識別番号「００３」に対応する設定情報から、挿入ページとして、インデックス用紙を３ページ（ページ番号「３」が印字されるページ）の前に１枚挿入し、更に、インデックス用紙のタブに文字列を印刷する設定であることが分かる。このページは、原稿データを印刷しないのでページ番号は印字されない。
【００３７】
６枚目の印刷物は、特殊ページ設定が適用されていないページ（通常のページ）である。なお、原稿データの３ページ目が印刷されるので、ページ番号「３」が印字される。
【００３８】
７〜８枚目の印刷物は、図２に示す識別番号「００４」の特殊ページ設定が適用されたページであり、識別番号「００４」に対応するリストを示す情報が印字される。識別番号「００４」に対応する設定情報から、例外ページとして、Ｚ折り、用紙サイズがＡ３で、ページ内容を９０度回転して印刷、用紙種類はマット紙で設定されていることが分かる。なお、７枚目の印刷物には、原稿データの４ページ目が印刷されるので、ページ番号「４」が印字され、８枚目の印刷物には、原稿データの５ページ目が印刷されるので、ページ番号「５」が印字される。
【００３９】
９枚目の印刷物は、図２に示す識別番号「００５」の特殊ページ設定が適用されたページであり、識別番号「００５」に対応するリストを示す情報が印字される。識別番号「００５」に対応する設定情報から、挿入ページとして、インデックス用紙を６ページ（ページ番号「６」が印字されるページ）の前に１枚挿入し、更に、インデックス用紙のタブに文字列を印刷する設定であることが分かる。このページは、原稿データを印刷しないのでページ番号は印字されない。
【００４０】
１０〜１２枚目の印刷物は、図２に示す識別番号「００６」の特殊ページ設定が適用されたページであり、識別番号「００６」に対応するリストを示す情報が印字される。識別番号「００６」に対応する設定情報から、例外ページとして、６から８ページまで連続してステープル処理を実行する設定であることが分かる。ここでは、資源を節約する観点から実際にステープル処理を実行することはしない。その代わりにステープルが来る位置に、ステープルがあることが分かるような形状のマークを印字する。なお、１０枚目の印刷物には、原稿データの６ページ目が印刷されるので、ページ番号「６」が印字され、１１枚目の印刷物には、原稿データの７ページ目が印刷されるので、ページ番号「７」が印字され、１２枚目の印刷物には、原稿データの８ページ目が印刷されるので、ページ番号「８」が印字される。
【００４１】
１３〜１５枚目の印刷物は、図２に示す識別番号「００７」の特殊ページ設定が適用されたページであり、識別番号「００７」に対応するリストを示す情報が印字される。識別番号「００７」に対応する設定情報から、例外ページとして、９〜１４ページは両面でパンチを実行する設定であることが分かる。パンチは資源を消費しないので、試し印刷モードでもパンチの処理は行う。なお、１３枚目の印刷物のおもて面には、原稿データの９ページ目が印刷されるので、ページ番号「９」が印字され、うら面には、原稿データの１０ページ目が印刷されるので、ページ番号「１０」が印字される。１４枚目の印刷物のおもて面には、原稿データの１１ページ目が印刷されるので、ページ番号「１１」が印字され、うら面には、原稿データの１２ページ目が印刷されるので、ページ番号「１２」が印字される。１５枚目の印刷物のおもて面には、原稿データの１３ページ目が印刷されるので、ページ番号「１３」が印字され、うら面には、原稿データの１４ページ目が印刷されるので、ページ番号「１４」が印字される。
【００４２】
１６枚目の印刷物は、図２に示す識別番号「００８」の特殊ページ設定が適用されたページであり、識別番号「００８」に対応するリストを示す情報が印字される。図２に示す識別番号「００８」の特殊ページ設定では、うら表紙に印刷（両面）をするよう指定されており、おもて面には、原稿データの１５ページ目が印刷されるので、ページ番号「１５」が印字され、うら面には、原稿データの１６ページ目が印刷されるので、ページ番号「１６」が印字される。
【００４３】
図９は、上述の２枚目の印刷物を拡大して示す図である。図９を参照しながら、試し印刷時の出力例のより具体的な内容を説明する。前述したように、本実施形態では、試し印刷ジョブは、全てのページについて、印刷に用いる用紙の種類として、安価な普通紙を指定する。これにより、コスト低減を図ることができる。また、試し印刷ジョブは、原稿データの部分についてはトナー量を低減して印刷することを指示するので、原稿データから直接印刷される内容はトナーセーブされて薄く印刷される。また、試し印刷ジョブは、原稿データが印刷されるページについては、ページ番号を付与して印刷することを指示するとともに、ページ番号は、オペレータが容易に確認できるよう大き目のフォントで原稿データの上に濃く印刷することを指示する。また、試し印刷ジョブは、特殊ページ設定が適用されるページについては、対応するリストを示す情報を印刷することを指示するとともに、対応するリストを示す情報は、オペレータが容易に確認できるよう大き目のフォントで原稿データの上に濃く印刷することを指示する。なお、ページ番号およびリストを示す情報の出力方法（印刷方法）については、オペレータが容易に確認することができるものであればよく、上述の出力方法に限られるものではない。
【００４４】
図１０は、試し印刷を実行する場合の印刷システム１００の動作例を示すフローチャートである。図１０に示すように、まずアプリケーション２から印刷命令が発行される（ステップＳ１）。次に、受信部５は、アプリケーション２からの印刷命令を受信する（ステップＳ２）。次に、表示部６は入力受付画面を表示する（ステップＳ３）。次に、設定部７は、入力受付画面に対するオペレータからの入力に応じて、基本の印刷設定および特殊ページ設定を設定する（ステップＳ４）。これにより、特殊ページ設定リスト８が生成される。次に、オペレータが図２に示す「ＯＫ」ボタンをクリックした場合（ステップＳ５：ＹＥＳ）、設定部７は、「セーブモードで特殊ページを試し印刷する」ことを示すチェックボックスがオンであるかどうかを判断する（ステップＳ６）。
【００４５】
「セーブモードで特殊ページを試し印刷する」ことを示すチェックボックスがオンの場合（ステップＳ６：ＹＥＳ）、設定部７は、生成部９に対して、試し印刷の実行指示を出力する。そして、試し印刷の実行指示を受け付けた生成部９は、上述の試し印刷ジョブを生成する（ステップＳ７）。一方、「セーブモードで特殊ページを試し印刷する」ことを示すチェックボックスがオフの場合（ステップＳ６：ＮＯ）、設定部７は、生成部９に対して、通常印刷の実行指示を出力する。そして、通常印刷の実行指示を受け付けた生成部９は、通常の印刷ジョブを生成する（ステップＳ８）。
【００４６】
次に、出力部１０は、生成部９で生成された試し印刷ジョブまたは通常の印刷ジョブを、プリンタ装置１２へ送信する（ステップＳ９）。次に、プリンタ装置１２は、試し印刷ジョブまたは通常の印刷ジョブに基づいて印刷を実行する（ステップＳ１０）。
【００４７】
以上に説明したように、本実施形態では、試し印刷を実行する場合、特殊ページ設定リスト８を紙に印刷して出力するので、オペレータは、プリンタドライバ３側の特殊ページ設定をすぐに確認することができる。したがって、本実施形態によれば、試し印刷を実行した場合における確認作業の作業効率を向上させることができるという有利な効果を達成することができる。
【００４８】
以上、本発明の実施形態を説明したが、上述の実施形態は、例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００４９】
上述の情報処理装置１で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。また、上述の情報処理装置１で実行されるプログラムを、インターネット等のネットワークに接続されたコンピュータ上に格納し、ネットワーク経由でダウンロードさせることにより提供するようにしてもよい。また、上述の情報処理装置１で実行されるプログラムを、インターネット等のネットワーク経由で提供または配布するようにしてもよい。また、上述の情報処理装置１で実行されるプログラムを、ＲＯＭ等に予め組み込んで提供するようにしてもよい。
【符号の説明】
【００５０】
１      情報処理装置
２      アプリケーション
３      プリンタドライバ
４      コア
５      受信部
６      表示部
７      設定部
８      特殊ページ設定リスト
９      生成部
１０    出力部
１１    ネットワーク
１２    プリンタ装置
１００  印刷システム
【先行技術文献】
【特許文献】
【００５１】
【特許文献１】特開２００５−２３４８１２号公報
【図１】
2014225078.tif 000003
【図２】
2014225078.tif 000004
【図３】
2014225078.tif 000005
【図４】
2014225078.tif 000006
【図５】
2014225078.tif 000007
【図６】
2014225078.tif 000008
【図７】
2014225078.tif 000009
【図８】
2014225078.tif 000010
【図９】
2014225078.tif 000011
【図１０】
2014225078.tif 000012